(57)【特許請求の範囲】
【請求項１】
前面に扉を有するロッカー本体の上側にボールラックを取り付け、このボールラックは、ロッカー本体の左右両側から起立する一対の支持板の間に適数の棚段を架設し、棚段を構成する前後一対の支持棒の間にボウリングボールを係止可能としてなるロッカーにおいて、
右側の支持板(６)の前端部と左側の支持板(６)の前端部とのうち相互に同じ高さの部分を、ロッカー本体(４０)の上面前縁(Ｅ)より前方へ庇状に突出してなる突出片(８)に形成し、これら突出片(８)の間に、適数の棚段(２０)のうちの一の棚段(２０Ａ)の前側の支持棒(２２)を架設させたことを特徴とする、ボウリングボール用のボールラック付きロッカー。
【請求項２】
上記突出片(８)がロッカー本体(４０)の前面よりも前方へ突出する距離を、ボウリングボールの直径の１／６から１／４の範囲としたことを特徴とする、請求項１に記載のボウリングボール用のボールラック付きロッカー。
【請求項３】
上記適数の棚段として、前後方向に一定の間隔(ｇ)を存して配置した２つ又は３つの棚段を設け、これら棚段のうち最も後ろの棚段より後方のロッカー本体(４０)上面に確保したスペース(Ｓ)に、情報掲示部を含む掲示部材(３０)を設置したことを特徴とする、請求項２に記載のボウリングボール用のボールラック付きロッカー。
【請求項４】
ロッカーなどの基台へ取り付けるためのボウリングボール用ラックであって、
前後方向へ延びる垂直な支持板(６)を含む左右一対の支持脚(４)と、それら支持板(６)の間に架設した適数の棚段(２０)とで構成され、
上記支持脚(４)は、上記支持板(６)の下端から水平方向又は垂直方向に延出した固定板(１４)を上記基台の左右両側上部の外面へ固定可能に形成するとともに、この固定状態で上記支持板(６)が基台の上面より上方へ起立するように構成し、
上記棚段(２０)は、一定間隔を存して左右方向へ並行する前後一対の支持棒(２２)を有し、これら支持棒(２２)の間にボウリングボールを係止可能に形成しており、
かつ右側の支持板(６)の前端部と左側の支持板(６)の前端部とのうち相互に同じ高さの部分を、固定板(１４)よりも前方へ庇状に突出してなる突出片(８)に形成し、これら突出片の間に、上記適数の棚段のうちの一の棚段の前側の支持棒を架設したことを特徴とする、ボウリングボール用ラック。
【発明の詳細な説明】
【技術分野】
【０００１】
本発明は、ボウリングボール用ラック及びボールラック付きロッカーに関する。
【背景技術】
【０００２】
ボウリング場などでは、ボウリングボール載置用の凹所を一列に配した棚段を有するボールラックが用いられている（特許文献１）。
【０００３】
しかしながら、こうしたボールラックはボウリングボールの載置だけのためにかなりの面積を占有するので、場所の利用法として効率的ではない。利用者の荷物などを収納するロッカー本体の上にボウリングボールを載置することができれば便利である。
【０００４】
こうした観点から、前面に扉を有する背の低い筐体の頂板を、複数のボウリングボールを載置するための載置盤としたものが知られている（特許文献２）。このボウリングボール用載置盤は、上記頂板の外周部に周設した柵と、この柵の内部にボウリングボールを均一に配置するために頂板から突出した複数の突起（台板）とで形成する。
【先行技術文献】
【特許文献】
【０００５】
【特許文献１】特開平１０−１１８２４３号
【特許文献２】特開２００５−３２３８２０
【発明の概要】
【発明が解決しようとする課題】
【０００６】
上記特許文献１又は特許文献２のように、ロッカーの上にボウリングボールを載せることは、省スペース化という点では有利であるが、次のような問題があった。
【０００７】
まずボールラックからボウリングボールを取り出すときには、ボウリングボールは大きくかつ重量があるために、利用者の体幹から離れたところにあるボウリングボールを持ち上げて手元に引き寄せるには、かなりの腕力を必要とする。また本願図１３の如くロッカー上面の後側のボウリングボールを取り出すときに、上体が前傾するので、腰などを痛め易い。
【０００８】
次にボウリングボールをボールラックへ戻すときには、その途中で腕の力でボールの重量を支え切れなくなり、ラックの所定の載置位置よりも手前、特に頂板前縁にボウリングボールをぶつけてしまうことがある。故に上記前縁に疵ができ易い。
【０００９】
本発明の第１の目的は、ボウリングボールをロッカーの縁に当てることなく、出し入れ可能なボールラック付きロッカーを提供することである。
【００１０】
本発明の第２の目的は、前方側からボウリングボールを出し入れし易いボールラック付きロッカーを提供することにある。
【００１１】
本発明の第３の目的は、ロッカーなどの基台に取り付けられ、基台に疵をつけずにボウリングボールの出入れできるボウリングボール用ラックを提供することである。
【課題を解決するための手段】
【００１２】
第１の手段は、
前面に扉を有するロッカー本体の上側にボールラックを取り付け、このボールラックは、ロッカー本体の左右両側から起立する一対の支持板の間に適数の棚段を架設し、棚段を構成する前後一対の支持棒の間にボウリングボールを係止可能としてなるロッカーにおいて、
右側の支持板６の前端部と左側の支持板６の前端部とのうち相互に同じ高さの部分を、ロッカー本体４０の上面前縁Ｅより前方へ庇状に突出してなる突出片８に形成し、これら突出片８の間に、適数の棚段２０のうちの一の棚段２０Ａの前側の支持棒２２を架設させている。
【００１３】
本手段は、ボールラックの支持板の前端部から図７に示す如く庇状に突出片を延ばし、これら突出片の間に支持棒を架設することを提案している。この支持棒は、ロッカー頂板の前縁ＥをボウリングボールＢとの衝突から保護する。支持棒の中心は、頂板前縁Ｅの真上又は前縁の前上方に位置させるとよい。「適数の棚段」という表現は単一の棚段を含む。
【００１４】
第２の手段は、第１の手段を有し、かつ
上記突出片８がロッカー本体４０の前面よりも前方へ突出する距離を、ボウリングボールの直径の１／６から１／４の範囲としている。
【００１５】
本手段では、図３の如く突出片をロッカー本体の前面より前方へ突出させることを提案する。これにより、ロッカー本体に対して棚段を相対的に前方移動させ、利用者が体幹に近い場所でボウリングボールを取ることができる。このためには、ロッカー本体前面から突出片が突出する長さｄを、ボウリングボールの直径Ｄの１／６（３．６ｃｍ程度）とするとよい。他方、突出片を突出させ過ぎると、ロッカー本体の扉をあけて物の出し入れをするときに邪魔になる。故に上記突出長は、直径Ｄの１／４（５．５ｃｍ程度）以下とする必要がある。なお本明細書において「ボウリングボールの直径」というときには、所定規格に基づく標準直径（２１．５ｃｍ）をいうものとする。
【００１６】
第３の手段は、第１の手段又は第２の手段を有し、かつ
上記適数の棚段として、前後方向に一定の間隔ｇを存して配置した２つ又は３つの棚段を設け、これら棚段のうち最も後ろの棚段より後方のロッカー本体４０上面に確保したスペースＳに、情報掲示部を含む掲示部材３０を設置している。
【００１７】
本手段では、支持板に突出片を設けることで、図５に示す如く一定の間隙ｇを存して配置する複数の棚段を前方へ移動させ、そして最も後の棚段の後方に生じたスペースＳに掲示部材を設置することを提案している。「掲示部材」は、後述の図示例の如くボウリング競技やロッカーに関係する情報を掲示するものでもよく、或いは広告などであってもよい。
【００１８】
第４の手段は、ロッカーなどの基台へ取り付けるためのボウリングボール用ラックであって、
前後方向へ延びる垂直な支持板６を含む左右一対の支持脚４と、それら支持板６の間に架設した適数の棚段２０とで構成され、
上記支持脚４は、上記支持板６の下端から水平方向又は垂直方向に延出した固定板１４を上記基台の左右両側上部の外面へ固定可能に形成するとともに、この固定状態で上記支持板６が基台の上面より上方へ起立するように構成し、
上記棚段２０は、一定間隔を存して左右方向へ並行する前後一対の支持棒２２を有し、これら支持棒２２の間にボウリングボールを係止可能に形成しており、
かつ右側の支持板６の前端部と左側の支持板６の前端部とのうち相互に同じ高さの部分を、固定板１４よりも前方へ庇状に突出してなる突出片８に形成し、これら突出片の間に、上記適数の棚段のうちの一の棚段の前側の支持棒を架設している。
【００１９】
本手段では、基台に適用可能なボウリングボール用ラック自体を提案する。１対の支持板の前端部に形成する突出片の間に一の棚段の前側の支持棒を連結すること、及び支持棒がラックを載せる物の縁を保護することでは、先の手段と共通する。「基台」とは、内部に物を収納するのに適した箱形又は棚形の物であり、扉を有するか否かは問わない。
【００２０】
本手段では、支持板の下端に連続する「固定板」を有する。固定板は図１に示す如く水平方向へ延ばして基台の上面左右両部に固定するようにしてもよく、また図８に示す如く支持板から下方へ延長して基台の側面上部に固定するようにしてもよい。
【００２１】
先の手段でラックについて述べたことは本手段に援用する。突出片の突出長に関する説明では、「ロッカー本体の前面」を「固定板の前端」に置き換えるものとする。もっとも扉開閉式ロッカー以外の用途では、ボウリングボールの直径Ｄの１／４以下という限定は必ずしも必要ない。これについては後述する。
【発明の効果】
【００２２】
第１の手段に係る発明によれば、一対の支持板６が有する庇状の突出片８の間に支持棒２２を架設したから、ボウリングボールがロッカー本体の上面前縁に当たることを防止できる。
【００２３】
第２の手段に係る発明によれば、ロッカー本体前面４８に対する突出片８の突出長をボウリングボールの直径の１／４から１／６の範囲としたから、ロッカー本来の用途に支障を来すことなく、ボウリングボールを容易に取り出すことができる。
【００２４】
第３の手段に係る発明によれば、ロッカー本体の上面のうち後側の棚段よりも後方のスペースに掲示部材３０を設けたから、利便性が高まる。
【００２５】
第４の手段に係る発明によれば、基台の頂板の縁を傷つけることなく、ボウリングボールの出し入れを容易に行うことができる。
【図面の簡単な説明】
【００２６】
【図１】本発明の第１の実施形態に係るボウリングボール用ラックの正面図である。
【図２】図１のラックのＩＩ−ＩＩ方向の一部切断平面図である。
【図３】図１のラックのＩＩＩ−ＩＩＩ方向の縦断面図である。
【図４】図１のラックを含むボールラック付きロッカーの正面図である。
【図５】図４のロッカーの平面図である。
【図６】図４のロッカーの側面図兼使用状態説明図である。
【図７】本発明の第２実施形態に係るロッカーの要部を拡大した図である。
【図８】本発明の第１の実施例の側面図である。
【図９】本発明の第２の実施例の側面図である。
【図１０】本発明の第３の実施例の側面図である。
【図１１】本発明の第３の実施例の変形例の側面図である。
【図１２】本発明の第４の実施例の側面図である。
【図１３】本発明との対比例の側面図である。
【発明を実施するための形態】
【００２７】
図１から図３は、本発明の第１の実施形態に係るボウリングボール用ラックを示している。このボウリングボール用ラック２は、図１に示す如く、左右１対の支持脚４と、棚段２０と、掲示部材３０とで構成している。
【００２８】
支持脚４は、前後方向に長い垂直な支持板６と、支持板の下端の全長から左右方向内方へ延出する水平な固定板１４とで前方から見てＬ字形に形成している。図示の支持脚は、一枚の金属板を折り曲げて一体に形成している。上記固定板の適所には、基台への締結具（ボルト・ナットなど）１６を設ける。また各支持板６の後部の上下両側には、図３に示す如く、後述の掲示部材を支えるための接続具１８を設ける。この接続具は、図２に示す如く支持板の内面への接合板に嵌合筒を連結させてなる。
【００２９】
上記支持板６は、図３に示すようにその前端部の同じ高さの部分（図示例では前端部上半部分）を庇状に前方突出して、突出片８に形成している。突出片８は、支持板の下端及び固定板よりも前方に延びている。支持板６は、後述の支持棒の取付位置に複数の連結孔１２を有し、そして連結孔１２の一つは突出片の中心に開口している。側方から見た突出片８の輪郭は、アールを付けた弯曲部１０に形成している。
【００３０】
棚段２０は、図２に示すように、両支持板６，６の間に架設した、大径パイプ形の前後一対の支持棒２２と、これら支持棒の間に架設された複数の小径の補助パイプ２４…とで構成している。これら補助パイプ２４…は、一定の長い巾ａと一定の短い巾ｂとを交互に繰り返して配列しており、長い巾ａを隔てて隣り合う２本一組の補助パイプとこれら補助パイプとの間の支持棒部分とでボール係止用孔２６を形成している。
【００３１】
図示例では、支持板の前側の低い位置に前段の棚段（一の棚段）２０Ａを、支持板６の後側に高い位置に後側の棚段（他の棚段）２０Ｂをそれぞれ架設しているが、棚段の数などは適宜変更することができる。そして前段の棚段２０Ａの前側の支持棒の両端部を上記突出片８に固定している。突出片８の間の支持棒２２は、支持板の前端部下半及び固定板前端より前方に位置するように構成する。
【００３２】
また２つの棚段２０Ａ及び２０Ｂは、図２に示す如くボウリングボールの出し入れ操作に不自由しない程度の一定の間隙ｇを存して接近させる。前側の棚段２０Ａを前方寄りにレイアウトすることで、後側の棚段２０Ｂも前側へ移動することができ、全体としてボールの取り出しが容易となる。また棚段を全体として前側に移動することで図５に示すように棚段２０Ｂの後方側に自由なスペースＳができる。
【００３３】
掲示部材３０は、上述のスペースＳを有効に利用するために、このスペース内に設けている。一つの実施例として、掲示部材は、図１に示す通り、逆Ｕ字形のフレーム３２の水平部分に情報表示部３４を吊り下げてなり、フレームの両端を上記接続具１８に嵌合させることができる。
【００３４】
図４から図６は、ボールラック付きロッカーを示す。このボールラック付きロッカーは、ボウリングボール用ラック２とロッカー本体４０とで構成する。
【００３５】
上記ロッカー本体４０は、長方体形状で前面開放の筐体の前面に複数の扉４２を枢着している。また上記筐体は、基盤４４の左右両側から側板部を、また基盤の後側から後板部をそれぞれ起立し、かつこれら側板部及び後板部によって支えられる頂板４６を有する。
【００３６】
上記ボウリングボール用ラック２は、左右の固定板１４をロッカー本体４０の頂板４６の左右両部上端に締結具１６で取り外し可能に締結している。
【００３７】
上記構成において、各支持板の突出片８は、ロッカー本体の前面よりも前側に突出しているので、各棚段上に載置したボウリングボールを取り出すときに、このボールと体幹との間の距離が小さくなり、ボウリングボールの取り出しが容易となる。なお、突出片８の間の支持棒２２は、ボウリングボールがロッカー本体の頂板前縁との衝突を防止する役割を有するが、これに関しては第２実施形態であわせて説明する。
【００３８】
本発明において、ロッカー本体４０の前面位置から前方への取出突部８の突出長ｄは、ボウリングボールの直径Ｄの１／４〜１／５の範囲とすることが最も好適である。その理由は、この範囲であれば、ロッカー本体の使用目的を妨げずにボウリングボールを特に容易に取り出すことができるからである。図６の構成では、ロッカー本体４０の高さを利用者の腰部よりやや高い程度とした場合の様子を描いている。同図に示す構成では、取出突部８の突出長は、ロッカー本体前面から測ってＤの１／５（支持板の下端から測ってＤの１／４）程度である。他方、図９の構成では、ボウリングボールの載置箇所が全体としてＤの１／４ほど相対的に後方に配置されている。
【００３９】
図６では、利用者が背を伸ばしたままで手が届く範囲を、肩を中心とする一点鎖線の円弧で表している。図６のラックでは、利用者の手は後段２０Ｂのボールにも十分に届いている。他方、図１３のラックでは、同じ利用者が後段からボールを取るためには、上半身を前傾させなければならない。利用者の体格には個人差があるが、ロッカーの上面から大きくかつ重いボウリングボールを手にとる場合に、直径の１／４前後の位置の違いが利便性を左右するという傾向は変わらない。大柄の利用者であっても、図６のラックでは図１３のものに比べて、より身体の中心線に近いところでボールを取ることができるので、少ない腕力でボウリングボールを取り出すことができる。ラックの前段２０Ａからボウリングボールを取り出すときも同じである。
【００４０】
以下本発明の他の実施形態について説明する。これらの実施形態の説明において第２の実施形態と同じ構造については解説を省略する。
【００４１】
図７は、本発明の第２実施形態のボールラック付きロッカーの要部拡大図である。本実施形態では、第１の実施形態の構成要件のうち突出片８の前方突出長さの下限に関する限定条件を除外している。そして前段の棚段２０Ａの各支持板６の前端部上部からは、突出片８を第１の実施形態に比べて短く前方突出し、これら突出片が頂板前縁Ｅの上方へ位置している。図示のように支持棒の軸線が前縁Ｅの真上にあるか、或いはやや前上方にあることが好適である。この構成では、ボウリングボールを前段の棚段２０Ａの載置箇所に戻す途中にボールの重量を支え切れなくなったときでも、図７に矢示するボウリングボールの軌道を支持棒２２が遮る。従って頂板前縁Ｅに疵がつくことは避けられる。支持棒はボウリングボールの衝突に耐えられる程度の剛弾性を有するものとするとよい。
【実施例】
【００４２】
図８は、本発明の第１の実施例を示している。この例では、支持板６と固定板１４とを垂直な一枚の板材に形成し、板材の下部である固定板をロッカー本体４０の左右側面上部にボルト・ナットなどの締結具１６で固定している。板材の上部である支持板６をロッカー本体６の上方へ突出している。
【００４３】
図９は、第２の実施例をしている。この例では、棚段２０を前・中・後の三段に形成している。支持板６は、各棚段２０に対応して前方へ突出する突出片８を有する。図示の例では各突出片８の間の支持板前端面を側方からみて円弧状にしている。
【００４４】
図１０及び図１１は、第３の実施例を示している。図１０のラック付きロッカーでは、支持板６の輪郭を、支持板下端から突出片８の先端までの傾斜部分１１を含めて直線的に形成している。こうすることで金属板を切断して支持板の形にすることが容易となる。図１１のラックでは、突出片８の輪郭を直線的に形成している。
【００４５】
図１２は、第４の実施例を示している。この例では、基台Ｐを、扉式のロッカー以外のものとしている。図示例の基台Ｐは、小物などを入れるための引出し式のロッカーであるが、展示ケース・本棚などの函体、脚付きのテーブル、さらには床置きの空調機などであっても構わない。図示の例では、引き出しを前方へ引き出して物を出し入れするために、固定板に対する突出片８の突出長さがボール直径の１／４以上であっても使用上不便ではない。しかしボウリングボールの重心Ｇが固定板の前端より後方にあるように設計すること（ｄ＞Ｄ／２であること）が安定性の観点から好ましい。
【００４６】
さらに基台Ｐのすぐ前に立った利用者の胴体に突出片８が当たる程度に突出長を大とすると、それ以上に突出片を長くする意味がなくなる。利用者の立ち位置も前方へ移動してしまうからである。そうした理由から、突出片８の突出長は、およそボウリングボールの直径Ｄ以下とすれば足りる。
【符号の説明】
【００４７】
２…ボウリングボール用ラック  ４…支持脚  ６…支持板  ８…突出片
１０…弯曲部  １１…傾斜部分  １２…連結孔
１４…固定板  １６…締結具  １８…接続具
２０…棚段  ２０Ａ…一の棚段（前段）２０Ｂ…他の棚段（後段）
２２…支持棒  ２４…補助パイプ  ２６…ボール係止用孔
３０…掲示部材  ３２…フレーム  ３４…情報表示部
４０…ロッカー本体  ４２…扉  ４４…基盤  ４６…頂板  
４８…ロッカー本体前面  
Ｅ…ロッカー本体上面前縁  ｇ…間隙  Ｓ…スペース
Ｂ…ボウリングボール  Ｇ…同重心
Ｐ…基台  Ｄ…ボール直径  ｄ…突出片の突出長
【図１】
0005449916.tif 000002
【図２】
0005449916.tif 000003
【図３】
0005449916.tif 000004
【図４】
0005449916.tif 000005
【図５】
0005449916.tif 000006
【図６】
0005449916.tif 000007
【図７】
0005449916.tif 000008
【図８】
0005449916.tif 000009
【図９】
0005449916.tif 000010
【図１０】
0005449916.tif 000011
【図１１】
0005449916.tif 000012
【図１２】
0005449916.tif 000013
【図１３】
0005449916.tif 000014